(57)【要約】【課題】路面が傾斜しているような場合にも泡消火栓の設置に際して筺体を水平にする必要のない泡消火栓を得る。【解決手段】本発明に係る泡消火栓１は、泡を放出するためのホース５を収納するホース収納部７と、原液Ｌを貯留する原液タンク１１とを筺体３内に収容してなり、道路脇に設置される泡消火栓１であって、原液タンク１１は、底部が筺体３の底面に対して道路に沿う方向に傾斜するように筺体３内に設置されると共に、傾斜の低い側の端部にサイホン管４５が挿入されてなることを特徴とする。【選択図】  図１
2014079407.tif 000002
【特許請求の範囲】
【請求項１】
ホース収納部と原液タンクを筺体内に収容してなり、道路脇に設置される泡消火栓であって、
前記原液タンクは、底部が前記筺体の底面に対して前記道路に沿う方向に傾斜するように前記筺体内に設置されると共に、傾斜の低い側の端部にサイホン管が挿入されてなることを特徴とする泡消火栓。
【請求項２】
設置される道路の傾斜方向と同じ方向に傾斜するように前記原液タンクの傾斜方向が設定されていることを特徴とする請求項１記載の泡消火栓。
【請求項３】
前記筺体と前記原液タンクの底面との間に前記原液タンクを傾斜させるための台部材を設置し、前記サイホン管に直交するように連結されて前記原液タンクの略中央上側位置で混合器につながる配管に着脱可能に連結される連結管を備えてなることを特徴とする請求項１又は２に記載の泡消火栓。
【請求項４】
前記原液タンクは前記ホース収納部の側方に配置されていることを特徴とする請求項１乃至３のいずれか一項に記載の泡消火栓。
【発明の詳細な説明】
【技術分野】
【０００１】
本発明は、例えばトンネル内の監査路の下方に設置される泡消火栓に関する。
【背景技術】
【０００２】
道路トンネルにおいては、路側帯の壁面部分に所定の間隔で消火栓装置が設置されており、特に都心の道路トンネルでは泡消火栓が用いられている。
この泡消火栓は、例えば特許文献１の図１２に示されるように、筺体内にホースが収納されると共に泡原液を貯留した原液タンクを保有している。原液タンク内の泡原液は、消火栓バルブを開けたときにサイホン管を通じて吸い出される構造である。
なお、原液タンクは筺体に対して水平に設置されている。
【先行技術文献】
【特許文献】
【０００３】
【特許文献１】特開平５−１２３４１４号公報
【発明の概要】
【発明が解決しようとする課題】
【０００４】
上記のような泡消火栓を道路トンネルに設置する際には、筺体が水平になるように設置される。なぜなら、筺体が傾いて設置されると筺体内の原液タンクが傾くため、吸い出し時に原液タンク内の泡原液が残ってしまうからである。
しかしながら、路面は水平とは限らず、傾斜しているのが一般的である。そのため、泡消火栓を道路に設置する際には、路面が傾斜している場合、筺体の設置に際して筺体が水平になるように調整して設置される。
【０００５】
近年の道路トンネルはスペースの有効利用が進められ、泡消火栓をトンネル側面に形成される監査路に埋め込むように設置するという要望がある。この監査路は、図９に示すように、路面から人が上がれる程度の高さに設定されている。このような、高さがあまりない監査路に埋め込むように設置するとなると、泡消火栓の高さはかなり制限されることになる。そのため、路面が傾斜していると、泡消火栓の筺体を水平に設置すべく調整するスペース的な余裕がない場合がある。
【０００６】
本発明はかかる課題を解決するためになされたものであり、路面が傾斜しているような場合にも泡消火栓の設置に際して筺体を水平にする必要のない泡消火栓を得ることを目的としている。
【課題を解決するための手段】
【０００７】
（１）本発明にかかる泡消火栓は、ホース収納部と原液タンクを筺体内に収容してなり、道路脇に設置される泡消火栓であって、
前記原液タンクは、底部が前記筺体の底面に対して前記道路に沿う方向に傾斜するように前記筺体内に設置されると共に、傾斜の低い側の端部にサイホン管が挿入されてなることを特徴とするものである。
【０００８】
（２）また、上記（１）に記載のものにおいて、設置される道路の傾斜方向と同じ方向に傾斜するように前記原液タンクの傾斜方向が設定されていることを特徴とするものである。
【０００９】
（３）また、上記（１）または（２）に記載のものにおいて、前記筺体と前記原液タンクの底面との間に前記原液タンクを傾斜させるための台部材を設置し、前記サイホン管に直交するように連結されて前記原液タンクの略中央上側位置で混合器につながる配管に着脱可能に連結される連結管を備えてなることを特徴とするものである。
【００１０】
（４）また、上記（１）乃至（３）のいずれかに記載のものにおいて、前記原液タンクは前記ホース収納部の側方に配置されていることを特徴とするものである。
【発明の効果】
【００１１】
本発明にかかる泡消火栓は、原液タンクの底部が筺体の底面に対して道路に沿う方向に傾斜するように筺体内に設置されると共に、傾斜の低い側の端部にサイホン管が挿入されたことにより、泡消火栓を路面に設置するに際して路面が傾斜している場合にも、消火栓の筺体を水平に調整することなく、路面に沿って設置しても、路面傾斜角度に大きく影響されることなく、泡原液の吸い出し残が発生することがなくなる。
【図面の簡単な説明】
【００１２】
【図１】本実施の形態１にかかる泡消火栓の正面図であり、泡消火栓の内部構造の一部を点線で示している。
【図２】本実施の形態１にかかる泡消火栓の平面図であり、泡消火栓の内部構造の一部を点線で示している。
【図３】図１の泡消火栓の内部構造の一部について説明する説明図である。
【図４】図１の泡消火栓の原液タンクの設置方法について説明する説明図である。
【図５】図１の泡消火栓の設置状態と原液タンクの設置状態との関係について説明する説明図である。
【図６】実施の形態２にかかる泡消火栓の設置状態と原液タンクの設置状態との関係について説明する説明図である。
【図７】図６の泡消火栓の原液タンクの設置方法について説明する説明図である。
【図８】図３の泡消火栓の内部構造の他の態様について説明する説明図である。
【図９】トンネル内の構造について説明する説明図である。
【発明を実施するための形態】
【００１３】
［実施の形態１］
本実施の形態にかかる泡消火栓１は、図１および図２に示すように筐体３を有し、筐体３内には、泡を放出するためのホース５を収納するホース収納部７と、外部の図示しない供給水源に接続されてホース５から放出する水を供給する給水管９と、箱状からなり消火剤の原液Ｌを貯留する原液タンク１１と、給水管９の途中にあって、原液タンク１１から供給される原液Ｌと水とを混合するための混合器１３と、混合器１３に原液Ｌを供給する原液供給管３５と、原液供給管３５と原液タンク１１を連結する連結管１５とが収容されている。
【００１４】
泡消火栓１は、道路脇、例えばトンネル２３内の道路の脇に設けられた監査路２５の壁面２５ａに設置されている（図９参照）。
泡消火栓１は、消火時に水と消火剤の原液Ｌと混合することで、ホース５から泡を放出する。
以下、泡消火栓１の各構成を図１〜図５に基づいて詳細に説明する。
【００１５】
＜ホース収納部＞
ホース収納部７は、図１および図２に示すように、筐体３内の中央に設けられており、長尺のホース５が巻回して収納されている。ホース５の一端は外部から水をホース５に供給する給水管９に接続されており、他端には泡を放出するノズル５ａが接続されている。
ホース５は、筐体３の正面の壁面に設けられた開閉扉３ａを開けることによって取り出すことができる。
【００１６】
＜給水管＞
給水管９は、図１および図２に示すように、ホース収納部７の側方に設けられている。給水管９は、図３に示すように、一端が筐体３の側面から突き出して給水口９ａを形成しており、給水口９ａは外部の供給水源に接続されている（図示なし）。給水管９の他端には上述したとおり、ホース５が接続されている。
給水管９には、常時は閉であり、図示しない外部のホースが連結されて該ホースへ水を供給する給水栓３１と、常時は閉であり、ホース５への流路を開閉する消火栓弁３３と、二次側に所定圧の水を供給する自動調圧弁３４と、消火剤の原液Ｌと水を混合する混合器１３とが設けられている。また、給水管９は、筐体３背面からの支持部材５２、５３、５４によって所定の位置に支持されている。
消火栓弁３３には消火栓弁３３を開閉するためのレバー３３ａが設けられている。レバー３３ａは開閉扉３ａを開けた状態で使用者が操作可能になっており、レバー３３ａを操作するとホース５のノズル５ａから泡が放出されるようになっている。
【００１７】
混合器１３は、図３に示すように管状からなり、給水管９の途中に設けられている。混合器１３の側面には、原液タンク１１から原液Ｌが供給される原液供給口１３ａが設けられている。原液供給口１３ａには、連結管１５と接続されて、原液Ｌを混合器１３に供給する原液供給管３５が取り付けられている。これらの配管は、筐体３内背面からの連結管１５の支持部材５１によって、支持されている。
原液供給管３５には原液Ｌの流量を制御する原液制御弁３７と、水や原液Ｌが原液タンク１１へ逆流することを防止する原液逆止弁３９と、原液タンク１１内の原液Ｌがサイホン現象で流れ続けないように管内に外気を吸わせることができる原液メンテナンス弁４２とが設けられている。
原液供給管３５は原液タンク１１の略中央上側位置まで延びており、原液タンク１１から延びる連結管１５とエルボ管４１によって着脱可能に接続されている。このようにして、原液タンク１１と混合器１３とが連結されている。
【００１８】
消火栓弁３３を開くと混合器１３内を水が通過して、その際原液供給口１３ａから原液Ｌが供給されて、混合器１３内で水と原液Ｌが混合されるようになっている。水と原液Ｌの混合液はホース５に供給されてホース５の先の取り付けられたノズル５ａから泡として放出される。
【００１９】
＜原液タンク＞
原液タンク１１は、図１および図３に示すように、筐体３の高さの３分の１程度の高さで左右に封止板を接合した円筒体の筒状からなり、ホース収納部７の側方かつ、給水管９の下方に配置されている。原液タンク１１は消火剤の原液Ｌを、例えば数十リッタ貯留可能になっている（図４参照）。
原液タンク１１の上面の中央には原液タンク１１内に原液Ｌを補給するための原液補給口１１ａが設けられている。
【００２０】
原液タンク１１は、筐体３の底面に設置されている。筐体３の底面と原液タンク１１の底面との間には、原液タンク１１を傾斜させるゴム板等からなる台部材４３が設置されている。そのため、原液タンク１１は、原液タンク１１の底部が筐体３の底面に対して道路に沿う方向に傾斜している。図３は、一例として、原液タンク１１の図３中右側の底部に台部材４３を設置して、原液タンク１１が筐体３の底面に対して左側に傾斜するようにしている場合を図示していている。
【００２１】
このように筐体３に対して傾斜して設置された原液タンク１１において、傾斜の低い側の端部である図３中左側には原液Ｌを吸引するサイホン管４５が挿入されている。サイホン管４５は、図４に示すように、原液タンク１１の底面まで伸びて先端から原液Ｌを吸引する可撓性のホースからなる吸引ホース４５ａと、管状からなり該管内に吸引ホース４５ａが挿入されて、吸引ホース４５ａの先端を原液タンク１１の底面までガイドするガイド管４５ｂとを有している。
【００２２】
以上のように、原液タンク１１を一方向に傾斜させて傾斜の低い側にサイホン管４５を挿入することによって、原液タンク１１内の原液量が少なくなったとしても、原液Ｌは図５（ａ）に示すように傾斜の低い左側に溜まるため、吸引効率がよく、かつ、より多くの原液Ｌをサイホン管４５によって吸い上げることができる（残液量が少ない）。
【００２３】
上記で図５（ａ）は路面２１の傾斜角度θ＝0°である場合を図示している。路面２１が、図５（ｂ）に示すように図中左下がりにα°傾斜している場合、筐体３も左側に傾斜するため、図５（ａ）の場合よりも、原液Ｌが原液タンク１１の左側に溜まりやすくなり、さらに残液量が少なくなる。
逆に、路面が、図５（ｃ）に示すように図中右下がりに傾斜α°傾斜している場合でも、原液Ｌは原液タンク１１の左側に溜まるため、残液量を少なくすることができる。
【００２４】
以上のように構成された泡消火栓１の使用方法について原液タンク１１の内部に着目して、図１、図３および図５に基づいて説明する。
まず、使用者は、筐体３の開閉扉３ａを開けて消火栓弁３３の開放操作を行い、ホース５を取り出しノズル５ａを炎に向ける（図１参照）。すると、供給水源から供給される水が混合器１３内を通過するのに伴ってサイホン管４５から原液Ｌが吸引されて、連結管１５、原液供給管３５を介して混合器１３内に供給される（図３参照）。原液Ｌは混合器１３内で水と混合されてホース５の先端のノズル５ａから泡として放出される。
【００２５】
泡の放出を継続すると、原液タンク１１内の原液Ｌの量が減少してくる。上述したとおり、原液タンク１１は、筐体３の底面に対して図３中左側に傾斜するように設置されているため、原液Ｌが原液タンク１１の左側に溜まるようになっており、路面２１の傾斜角度θおよび傾斜方向によらず、サイホン管４５によって原液タンク１１内の原液Ｌをほとんど全量を吸引することができる（図５参照）。
【００２６】
以上のように、原液タンク１１の底部が前記筐体３の底面に対して道路に沿う方向（すなわち、筐体３の正面視で左右方向）に傾斜して筐体３内に設置されており、サイホン管４５が原料タンクの傾斜の低い側の端部に挿入されているため、泡消火栓１を路面に設置するに際して路面が傾斜している場合にも、消火栓の筐体３自体を水平に調整することなく路面に沿って設置しても、路面傾斜角度θおよび傾斜方向に大きく影響されることなく、原液Ｌの残液量が発生することがなくなる。
【００２７】
また、泡消火栓１では、原液タンク１１をホース５の収納部７とは横並びで設けているので、筐体３の高さを低くすることができ、トンネル２３の監査路２５に収めやすい形状になっている。
【００２８】
［実施の形態２］
上記の実施の形態１では、筐体３の底面に対して原液タンク１１を路面の傾斜方向を考慮せず、図３中左側に傾斜するように設置する例を示したが、原液タンク１１の傾斜方向を路面２１の傾斜方向に合わせるようにすればさらによい。この点を図６に基づいて説明する。
【００２９】
例えば、路面２１が左下がりに傾斜している場合は、図６（ａ）に示すように、原液タンク１１の図６中右側の底部に台部材４３を設置して、原液タンク１１を筐体３の底面に対して左側に傾斜させて設置する（実施の形態１と同様）。
【００３０】
他方、路面２１が右下がりに傾斜している場合は、図６（ｂ）に示すように、原液タンク１１の図６中左側の底部に台部材４３を設置して、原液タンク１１を筐体３の底面に対して右側に傾斜させて設置する。この場合、サイホン管４５の位置は実施の形態１の場合（図３〜図５および、図６（ａ）を参照）と異なり、原液タンク１１の図６（ｂ）中右側になるように設置される。この状態における原液タンク１１とサイホン管４５の位置関係を図７に示す。
【００３１】
原液タンク１１はほぼ左右対称に構成されており、筐体３へ設置する際に、原液タンク１１の左右をどちらの方向にしても設置可能になっている。そこで、図７に示すように、路面２１が右下がりに傾斜している場合には、原液Ｌは原液タンク１１の図７中右側に多く溜まるため、図４の場合と原液タンク１１の左右を入れ替えて、サイホン管４５が原液タンク１１の図７中右側に位置するように、原液タンク１１を設置する。
【００３２】
このように、サイホン管４５の位置が図３の場合と異なるため、連結管１５と原液供給管３５の接続方法も異なる。この点について図３および図８に基づいて説明する。
原液供給管３５は、原液タンク１１の略中央上側位置まで延びており、連結管１５を原液供給管３５の左右どちら側から接続するようにしても、原液供給管３５を含む混合器１３側の各配管等の配置は変更する必要がない。
【００３３】
また、連結管１５と原液供給管３５との接続は、連結管１５と原液供給管３５とを接続するエルボ管４１の向きを変えるだけで、連結管１５を原液供給管３５の左右から接続可能になっている。例えば図３の場合は、エルボ管４１の向きを図３中左側から連結管１５と接続するようにしている。他方、図８の場合は、エルボ管４１の向きを図８中右側から連結管１５と接続するようにしている。ここで、連結管１５を支持する支持部材５１は、連結管１５の位置に合わせて移動できるように筐体３内背面の取付部が２箇所に形成されている。
【００３４】
このように、原液タンク１１が左右どちら向きであっても（すなわち、サイホン管４５の位置がどちら側であっても）エルボ管４１の向きを変えるだけで、混合器１３と原液タンク１１は接続可能になっている。
以上のように、原液タンク１１は、路面２１の傾斜方向にかかわらず、部品の構成を変更することなく左右どちら側にでも傾斜させて設置可能になっている。
なお、この実施の形態２では、路面の角度が左下がりまたは右下がりの下がる方向だけ見ればよく、上下に対応しないので、角度対応の範囲が少なくてすむ。
【００３５】
また、原液タンク１１のサイホン管４５の位置と台部材４３の位置を入れ替えることができるため、路面２１の傾斜方向が左右どちら向きであっても、路面２１の傾斜方向に合わせて原液タンク１１を設置することができる。
従って、路面２１の傾斜方向が左右どちら向きであっても、泡消火栓１の設置に際して、筐体３の傾斜方向を調整することなく、原液タンク１１の傾斜方向を最も好適な方向に設定でき、トンネル内の監査路２５のような狭隘なスペースへの設置にも好適である。
なお、各実施の形態において、泡消火栓１は、原液タンク１１をホース５の収容部とは横並びで設け、筐体３の高さを低くすることができるようにしているが、トンネル２３の形状に応じて高さ方向に余裕がある場所に設置する場合などでは、原液タンク１１をホース５の収容部の下方に配置してよいことは勿論である。
【符号の説明】
【００３６】
Ｌ  原液
１  泡消火栓
３  筐体
３ａ  開閉扉
５  ホース
５ａ  ノズル
７  ホース収納部
９  給水管
９ａ  給水口
１１  原液タンク
１１ａ  原液補給口
１３  混合器
１３ａ  原液供給口
１５  連結管
２１  路面
２３  トンネル
２５  監査路
２５ａ  壁面
３１  給水栓
３３  消火栓弁
３３ａ  レバー
３４  自動調圧弁
３５  原液供給管
３７  原液制御弁
３９  原液逆止弁
４１  エルボ管
４２  原液メンテナンス弁
４３  台部材
４５  サイホン管
４５ａ  吸引ホース
４５ｂ  ガイド管
５１、５２、５３、５４  支持部材
【図１】
2014079407.tif 000003
【図２】
2014079407.tif 000004
【図３】
2014079407.tif 000005
【図４】
2014079407.tif 000006
【図５】
2014079407.tif 000007
【図６】
2014079407.tif 000008
【図７】
2014079407.tif 000009
【図８】
2014079407.tif 000010
【図９】
2014079407.tif 000011